(57)【要約】【課題】筐体の前面側から筐体の開口を介して外部を視認可能にして、筐体外部の点検作業を容易にする。【解決手段】  後面壁１１、両側面壁１３、底面壁及び上面壁１５からなり、前面に開口１０を有した筐体１と、筐体１の前面側に設けられ、開口１０を開閉可能な扉体とを備え、筐体１の少なくとも後面壁１１及び／又は上面壁１５に、筐体１内部から外部を視認可能な透視部３を設け、透視部３を筐体１の壁部の一部又は全部を透視可能材料で形成した。【選択図】      図２
2008154693.tif 000002
【特許請求の範囲】
【請求項１】
前面に開口を有し、該開口が開閉可能に覆われる筐体を備えた遊技機であって、
前記筐体の壁部に、前記筐体の前側から前記開口を介して該筐体外部を視認可能な透視部を設けたことを特徴とする遊技機。
【請求項２】
前記透視部は、前記壁部の一部又は全部を透視可能材料で形成してなることを特徴とする請求項１記載の遊技機。
【請求項３】
前記透視部は、前記筐体の壁部に設けられ該筐体の内部から外部に連通する窓を備えてなることを特徴とする請求項１記載の遊技機。
【請求項４】
前記透視部は、前記窓を開閉可能、かつ、一部又は全部が透視可能材料で形成される窓戸を備えてなることを特徴とする請求項３記載の遊技機。
【請求項５】
前記窓戸を、前記筐体の壁部に設けられたガイドレールにスライド移動可能に支持したことを特徴とする請求項４記載の遊技機。
【請求項６】
前記透視可能材料は、複数の孔を備えた不透明な板材からなることを特徴とする請求項２、４又は５記載の遊技機。
【請求項７】
前記筐体の壁部は、後面壁、両側面壁、底面壁及び上面壁からなり、前記透視部を、少なくとも後面壁及び／又は上面壁に設けたことを特徴とする請求項１〜６のいずれか一項に記載の遊技機。
【発明の詳細な説明】
【技術分野】
【０００１】
本発明は、遊技媒体としてメダルが用いられる遊技機に関し、特に、遊技機背面側に、メダルの補給装置などが設けられる遊技機に関する。
【背景技術】
【０００２】
一般に、いわゆるスロットマシン、パチスロ機と呼ばれる遊技機は、メダル（コイン）が投入されて作動し、入賞などによるメダルの払い出しを判断すると、メダルが払い出される。
図９及び図１０に示すように、この種の遊技機Ｓは、前面に開口１０を有した筐体１と、筐体１の前面側に設けられ、開口１０を開閉可能な扉体２とを備えてなる。
筐体１は、後面壁１１、両側面壁１２，１３、底面壁１４及び上面壁１５からなる。
筐体１内には、複数のリール５１ａ〜５１ｃを備えたドラムユニット５、メダルの払い出しを行うメダル払出装置（ホッパ）６及びドラムユニット５のリール５１ａ〜５１ｃの回転やメダル払出装置６の作動などの制御を行う制御部４などが設けられている。
【０００３】
また、従来、この種の遊技機としては、特許文献１（特開２００１−３２９３２３号公報）に記載されたものが知られている。
この遊技機は、上記遊技機Ｓと同様に、前面に開口１０を有した筐体１と、筐体１の前面に設けられ、開口１０を開閉可能な扉体２とを備えてなる。
また、図１１及び図１２に示すように、後面壁１１及び上面壁１５には、制御部４で発生した熱を逃がすための開放孔部８０，８２が設けられている。開放孔部８０，８２には、金網が設けられている。また、後面壁１１には、細長状の放熱孔部８１が設けられている。
後面壁１１には、メダル払出装置６に臨むメダル補給口８３が設けられている。
【０００４】
そして、遊技場などでは、複数の遊技機Ｓは、二列にして設置され、いわゆる島を形成している。これら二列の遊技機Ｓにおいて、その一方の列の遊技機Ｓと他方の列の遊技機Ｓとは、互いの後面が向かい合わせられて設置される。
【０００５】
また、遊技機Ｓは、メダルの払い出しにより、メダル払出装置６内のメダルの量が少なくなると、適時にメダルが補給される。遊技機Ｓへのメダルの補給は、手作業によるもののほかに、自動でメダルを補給する補給装置によるものがある。
補給装置は、各遊技機Ｓまで、メダルを搬送するコンベアなどを備えており、これらは、遊技機Ｓの後ろ側に設置される。コンベアとしては、遊技機の上下方向の中間に位置した中段タイプ（特許文献２）と、遊技機の上側に位置した高段タイプ（特許文献３）とがある。
また、遊技機の後ろ側には、メダルの貸与を行う玉貸機からの紙幣を搬送する紙幣搬送コンベア、各遊技機で余剰のメダルを回収してメダル供給部に送るメダル回収コンベアなども設置される。
【０００６】
【特許文献１】特開２００１−３２９３２３号公報
【特許文献２】特開２００６−３４９０８号公報
【特許文献３】特開２００４−２３６７８３号公報
【発明の開示】
【発明が解決しようとする課題】
【０００７】
ところで、このような上記従来の遊技機Ｓにあっては、補給装置のコンベア、紙幣搬送コンベア及びメダル回収コンベアなどの筐体１外部の装置の点検などの際に、遊技機Ｓの前側からこれらを見ようとしても、筐体１及び扉体２がその視線を遮るので、逐一、遊技機Ｓの上にあがったり、遊技機Ｓ自体を移動させたりするなどして見なければならず、点検作業が煩雑であるという問題があった。
特に、中段タイプのコンベアのように、遊技機Ｓの後ろ側に完全に隠れてしまう装置を点検する場合には、遊技機Ｓの上にあがっても、このような装置は、上からしか見ることができない。そのため、点検箇所を横からも見たい場合には、遊技機Ｓ自体を移動させなければならず、点検作業が非常に煩雑である。
【０００８】
また、遊技機Ｓの筐体１の外面を視認して、遊技機Ｓの筐体１外部への不正な装置の取り付けがないかを点検することがある。しかしながら、遊技場では、遊技機Ｓは、二列にしかも、互いの後面が向かい合わせられており、遊技機Ｓの後ろ側を遊技機Ｓの前側から見ようとしても、筐体１及び扉体２がその視線を遮るので、この場合にも、遊技機Ｓの上にあがったり、遊技機Ｓ自体を移動させたりするなどして見なければならず、点検作業が煩雑であり、遊技機の不正な利用の発見が難しいという問題があった。
【０００９】
本発明は、以上のような従来の技術が有する問題を解決するために提案されたものであり、筐体の前面側から筐体の開口を介して外部を視認可能にして、筐体外部の点検作業及び不正利用の発見を容易にした遊技機の提供を目的とする。
【課題を解決するための手段】
【００１０】
上記目的を達成するための遊技機は、前面に開口を有し、該開口が開閉可能に覆われる筐体を備えた遊技機であって、前記筐体の壁部に、前記筐体の前側から前記開口を介して該筐体外部を視認可能な透視部を設けた構成としている。
【００１１】
この遊技機の透視部は、筐体の外部の点検したい箇所が開口を介して筐体の前側から見えるように、予め、筐体の壁部の所望の位置に設けられる。
このような構成からなる本発明の遊技機によれば、筐体の外部の点検をするときには、開口を開にする。そして、遊技機の前側から、開口及び透視部を介して、筐体の外部を視認する。
この際、筐体の壁部の透視部においては、点検者の視線が遮られないので、筐体の開口から筐体の外部を視認することができる。そのため、従来に比較して、遊技機の上に上がったり、遊技機を移動させたりするなどの比較的大掛かりな作業しなくても点検作業を行うことができる。
これにより、容易に筐体の外部の点検作業を行うことができる。
また、筐体外部の点検作業が容易なので、遊技機の不正な利用の発見も容易に行うことができる。
その後、点検が終わったならば、開口を閉にする。
【００１２】
また、前記透視部は、前記壁部の一部又は全部を透視可能材料で形成したことが好ましい。
この場合、例えば、筐体に筐体内部から外部に連通する大きな孔を設けてこれを透視部とした場合に比較して、筐体外部からの異物は透視可能材料で遮られる。そのため、異物を筐体内部に入りにくくすることができる。
【００１３】
また、前記透視部は、前記筐体の壁部に設けられ該筐体の内部から外部に連通する窓を備えた構成とすることが好ましい。
このような遊技機によれば、筐体の外部を透視するときは、窓を透視する。この際、遊技機や遊技機外部の装置に異常があるときには、窓から筐体の外部に手、手鏡及び工具を出して保守点検作業を行う。そのため、点検作業だけでなく、保守点検作業も容易に行うことができる。
【００１４】
また、前記透視部は、前記窓を開閉可能、かつ、一部又は全部が透視可能材料で形成される窓戸を備えた構成とすることが好ましい。
このような遊技機によれば、点検作業を行うときは、窓戸の透視可能材料部分を透視したり、窓戸を開けて窓を透視したりする。また、保守作業を行うときは、窓戸を開ける。これにより、点検や保守の際以外は、窓戸を閉じて窓を閉めておくこともでき、窓戸を閉じた場合には、異物を入りにくくすることができる。
【００１５】
また、前記窓戸を、前記筐体の壁部に設けられたガイドレールにスライド移動可能に支持する構成としたことが好ましい。
この場合、窓の開閉するときは、ガイドレールに沿って窓戸をスライド移動させる。これにより、窓の開閉を容易に行うことができる。
【００１６】
また、前記透視可能材料は、複数の孔を備えた不透明な板材からなる構成としたことが好ましい。
この場合、透視可能になるだけでなく、透視可能材料から筐体内部の装置の排熱を円滑に行うことができる。
望ましくは、前記板材を金属で形成することが好ましい。
この場合、板材にアースをとると、筐体内部の装置・機器に対する電磁波のシールド効果が期待できる。
【００１７】
また、前記筐体の壁部は、後面壁、両側面壁、底面壁及び上面壁からなり、前記透視部を、少なくとも後面壁及び／又は上面壁に設けた構成としたことが好ましい。
この場合、遊技機の後ろ側を確実に視認することができる。
【発明の効果】
【００１８】
以上のように、本発明の遊技機によれば、筐体の開口を介して外部を視認可能になるので、筐体外部を容易に点検することができる。また、遊技機の不正な利用の発見も容易に行うことができる。
【発明を実施するための最良の形態】
【００１９】
以下、本発明に係る遊技機の好ましい実施形態について説明する。尚、上記従来の遊技機と同様の部材には同一の符号を付している。
［第一実施形態］
図１、図９及び図１０に示すように、遊技機Ｓ１は、前面に開口１０を有し、開口１０が開閉可能に覆われる筐体１を備えてなる。
筐体１は、後面壁１１、両側面壁１２，１３、底面壁１４及び上面壁１５からなる。
筐体１の壁部には、筐体１の前側から開口１０を介して筐体１外部を視認可能な透視部３が設けられている。この透視部３は、後面壁１１及び上面壁１４に設けられている。
【００２０】
詳しくは、図２にも示すように、筐体１の後面壁１１及び上面壁１４は、これらの全部が透視部３としてある。
透視部３である後面壁１１及び上面壁１４は、透視可能材料で形成されている。透視可能材料は、比較的剛性のあるものが好ましい。
本実施形態では、透視可能材料として、打ち抜き金網やパンチングメタルなどといわれる、複数の孔３１０を備えた金属製の不透明な板材３１を用いた。
この板材３１は、Ｌ字状に折曲形成されている。そして、この板体３１により、後面壁１１及び上面壁１４が一体に形成されている。
また、板材３１は、その外周端縁部が、両側面壁１２，１３の上縁から後ろ側の側縁にわたって設けた段部１２０，１３０に当接している。そして、板材３１は、例えば、図示しないステープルやネジ類により側面壁１２，１３に結合されている。
【００２１】
両側面壁１２，１３には、その筐体１の前面側の上端部間において、断面矩形の架設フレーム１８が架設されている。また、両側面壁１２，１３、底面壁１４及び架設フレーム１８は、樹脂又は木板（ＭＤＦ）で形成されている。また、両側面壁１２，１３、底面壁１４及び架設フレーム１８の前端側で、筐体１の開口１０が形成されている。
架設フレーム１８には、板体３１の前側端縁部が載置される段部１８０が形成されている。
また、筐体１の両側面壁１２，１３のそれぞれには、遊技機Ｓ１を持ち運ぶための把手１２１が設けられている。
【００２２】
筐体１内部には、図１０に示すように、複数のリール５１ａ〜５１ｃを備えたドラムユニット５、いわゆるホッパといわれ、メダルの払い出しを行うメダル払出装置６及びドラムユニット５の各リール５１ａ〜５１ｃの回転やメダル払出装置６等の装置の制御を行う制御部４などが設けられている。
メダル払出装置６には、筐体１の後面壁１１中央に設けたメダル補給口３５が臨んでいる。
制御部４は、筐体１の後面壁１１内側の上部近傍に取り付けられる制御基板で構成されている。
【００２３】
また、図９及び図１０に示すように、筐体１の開口１０は、扉体２により覆われる。
扉体２は、その表面に、遊技機の遊技者が操作するための種々のボタン，レバーなどが設けられている。
また、扉体２は、筐体２の前面に向かって左側の側面壁１２にヒンジ結合されている。
さらに、扉体２には、その閉時に、内部のドラムユニット５のリール５１ａ〜５１ｃを表示する表示窓２２が設けられている。
【００２４】
図３に示すように、遊技場などにおいては、複数の遊技機Ｓ１が、二列にして設置され、これら複数の遊技機Ｓ１によりいわゆる島が形成されている。この二列の遊技機Ｓ１のうち、その一方の列の遊技機Ｓ１と他方の列の遊技機Ｓ１とは、互いの後面が向かい合わせられて設置されている。
二列の遊技機Ｓ１の間には、各遊技機Ｓ１のメダル補給口３５を介してメダル払出装置６にメダルを補給するためのメダル補給装置７が設けられている。メダル補給装置７は、遊技機の後ろ側に設置されたコンベアＣ１と、コンベアＣ１で運ばれたメダルをメダル払出装置６に送る補給シュート部７１と、島の端部に設けられるコンベアＣ１へのメダル供給部７０とを備えてなる。
【００２５】
図２及び図４（ａ）に示すように、コンベアＣ１は、その高さ位置が遊技機Ｓ１の上下方向の中間に位置させられている。
補給シュート部７１には、メダル払出装置６に設けられ、メダル払出装置６内のメダルの量を検知するセンサ（図示せず）が接続されている。そして、センサの検知に基づいて、メダル払出装置６内のメダルが少なくなったときに、コンベアＣ１で搬送されたメダルを適時にメダル払出装置６に送るものである。
尚、図示しないが、二列の遊技機Ｓ１の間には、例えば、メダル貸与機に入れられた紙幣を搬送する紙幣搬送コンベアや、各遊技機で余剰のメダルを回収するメダル回収コンベアなども設けられる。
【００２６】
また、図中、符号３６は、例えば、補給シュート部７１と、メダル払出装置６内のメダルの量を検知するセンサとを接続するケーブルなどのような、遊技機Ｓ１外部の装置・機器及び筐体１内部の装置・機器に接続され、これらの間で情報の伝達を行うケーブルが挿通される挿通孔である。
また、図中、符号２１は、筐体１の開口１０の閉時に、筐体１に対して鍵（図示せず）により施錠可能な、扉錠２１である。
【００２７】
次に、以上のような構成からなる遊技機Ｓ１の作用について説明する。
この遊技機Ｓ１は、透視部３が、透視可能材料である板材３１で構成されているので、単に、筐体１の壁部に、大きな孔を設けてこれを透視部３とした場合に比較して、孔３１０の径が小さいので、異物を筐体１内部に入りにくくできる。
また、透視部３が、透視可能材料である複数の孔を有した板材３１で構成されているので、透視部３で筐体内部の装置４，５，６の排熱を行うこともできる。また、透視可能材料である板材３１は、金属製なので、筐体１全部を樹脂，木板で形成した場合に比較して、リサイクル性が向上させられる。
【００２８】
そして、遊技機Ｓ１の後ろ側を視認して点検するときには、まず、図１０に示すように、遊技機Ｓ１の扉体２の扉錠２１に鍵を差し入れて、錠を解除し、扉体２を開く。
そして、図２に示すように、開口１０を介し、筐体１内部の装置（制御部４、ドラムユニット５、メダル払出装置６等）の間隙などから、後面壁１１や上面壁１５を透視して、遊技機Ｓ１の後ろ側を視認する。あるいは、ドラムユニット５やメダル払出装置６などを取り外してから遊技機Ｓ１の後ろ側を視認する。
【００２９】
この際、後面壁１１は、透視可能材料である板材３１で形成されているので、点検者の視線ｅ１，ｅ３は、後面壁１１に遮られない。
そのため、例えば、補給装置７のコンベアＣ１（ｅ１）を、遊技機Ｓ１の上にあがらなくとも視認することができ、点検作業を容易に行うことができる。
また、遊技機Ｓ１の上下中間の高さ位置にコンベアＣ１が位置していても、コンベアＣ１を横から視認することができ（ｅ１）、よりコンベアＣ１の状態を把握しやすくなり、点検の作業効率を向上させることができる。
特に、例えば、遊技場の営業中において、メダル補給装置７などに不具合があるときなど、緊急の点検を要するときに、点検者は、筐体１の後ろ側を容易に視認できるので、問題の箇所の発見を容易にでき、これらの問題の対応を素早く行うことができる。
さらに、メダル搬送用のコンベアＣ１だけでなく、紙幣搬送コンベアや、メダルの回収コンベアなどの二列の遊技機Ｓ１の間に設けられた装置を点検する際にも、上記と同様に、筐体１の後面壁１１によって視線が遮られないので、点検作業を容易に行うことができる。
【００３０】
また、筐体１の後ろ側に不正な装置を取り付けて遊技が行われていると疑わしきときも、対面する遊技機Ｓａの後面壁１１の表面（ｅ３）を、遊技機Ｓ１の上にあがったり、遊技機Ｓ１を移動させたりしなくとも視認することができ、筐体１の後ろ側を容易に視認できるので、これらの遊技機Ｓ１の不正な利用を容易に発見することができる。
この際、対面する遊技機Ｓａの後面壁などにも、本実施形態のような透視部が設けられているときは、対面する遊技機Ｓａの筐体１内部も視認することができる。特に、制御部４付近に透視部があると、遊技機Ｓ１から、対面する遊技機Ｓａの制御部４を直接視認でき、より一層、不正利用を防止することができる。
さらに、金属製の板材３１にアースをとると、板材３１が筐体１内部の装置・機器に対して電磁波のシールド効果を発揮する。そのため、この板材３１で、筐体外部から筐体内部の装置・機器に影響させようとする不正な電波を遮ることができ、遊技機が不正に利用される事態を防止できる。
その後、点検が終わったならば、扉体２を閉めて施錠する。
【００３１】
次に、図２及び図４（ｂ）に示すように、遊技機Ｓ１の高さよりも高い位置に、補給装置７のコンベアＣ２が位置する場合の本実施形態の遊技機Ｓ１の作用について説明する。
この場合も上記と同様にして点検を行う。この際、図２に示すように、上面壁１４は、透視可能材料である板材３１で形成され、点検者の視線ｅ２は、上面壁１４に遮られないので、遊技機Ｓ１の高さよりも高い位置にあるコンベアＣ２についても、遊技機Ｓ１の上にあがらなくとも視認することができる。
【００３２】
また、本実施形態では、両側面壁１２，１３及び底面壁１４は、樹脂又は木板（ＭＤＦ）で形成したが、金属製の板からなる構成としてもよい。
この場合には、筐体１の全体が金属で形成されるので、電磁波のシールド効果をより良好にでき、遊技機が不正に利用される事態を、より一層確実に防止できる。
【００３３】
なお、本実施形態では、透視部３は、後面壁１１及び上面壁１５にしか設けられていないが、両側面板１２，１３、底面壁１４に設けてあってもよい。この場合、本実施形態では、図３に示すように、側面壁１２，１３の透視部は、隣接する遊技機や、島の端部のメダル供給部７０で覆われる。
また、側面板１２，１３に透視部を設けたときに、本実施形態と異なり、島の奥行きが少なく、各遊技機が前面側にせり出すこともある。この場合、島の端部などに位置する遊技機は、その筐体の側面壁の透視部が露出してしまうことがある。透視部が露出すると、筐体１側面の透視部を介して、筐体１内部が、不特定の人に、視認可能になってしまう。このようなときには、遊技機の不正利用防止のために、露出した透視部を不透明な板やシートで覆うなどし、筐体１内部が視認できないようにする。また、このような位置には、筐体１側面に透視部のない遊技機（例えば、本実施形態の遊技機Ｓ１）を設置してもよい。
【００３４】
以上説明したように、本実施形態の遊技機Ｓ１によれば、遊技機Ｓ１の外部を点検するときに、筐体１の後面壁１１及び上面壁１１に設けた透視部３を透視することにより、筐体１の前側から筐体１外部を視認することができるので、点検作業を容易に行うことができる。また、遊技機Ｓ１の外部の点検が容易なので、遊技機Ｓ１の不正な利用も容易に発見することができる。
【００３５】
［第二実施形態］
次に、本発明に係る遊技機の第二実施形態について説明する。
図５〜図７に示すように、本実施形態の遊技機Ｓ２は、上記第一実施形態の変形形態であり、透視部の構成がこれと異なる。
透視部３ａは、筐体１の壁部に設けられ筐体の内部から外部に連通する窓３２と、窓３２を開閉可能、かつ、一部又は全部が透視可能材料で形成される窓戸３３を備えて構成されている。
【００３６】
具体的には、筐体１は、後面壁１１、両側面壁１２，１３、底面壁１４及び上面壁１５からなる。
窓３２は、筐体１の後面壁１１に、上下二段に形成されている。この二つの窓３２は、後面壁１１に形成され筐体１内部から外部に連通する矩形状の後側開放口３２０を、この後側開放口３２０の内周に左右にわたって架設された矩形状のフレーム板３２１で仕切ることにより形成されている。
フレーム板３２１には、メダル補給口３５及び挿通孔３６が設けられている。
【００３７】
窓戸３３は、矩形板状に形成されるとともに、各窓３２に二枚ずつ設けられている。そして、窓３２に設けられた２枚の窓戸３３により窓３２全面を閉じることができるようになっている。
窓戸３３に用いられる透視可能材料は、上記第一実施形態と同様の板材で構成されている。
【００３８】
また、筐体１の壁部に設けられたガイドレール３４にスライド移動可能に支持されている。ガイドレール３４は、各窓３２の上下に二つずつ設けられた凹溝で構成されている。この凹溝には、窓戸３３の上下端縁部が入り込んでいる。そして、窓戸３３は、この凹溝でガイドされて、移動可能になっている。
【００３９】
さらに、上面壁１５は、その全体が透視部３ｂに形成され、透視可能材料で形成されている。この上面壁１５である透視可能材料も上記第一実施形態の板材と同様のもので形成されている。
また、上面壁１５は、後面壁１１、両側面壁１２，１３及び架設フレーム１８の上縁部に形成された上側開放口３１１に設けられている。また、上面壁１５は、上側開放口３１１内周の全周にわたって形成された段部３１２に載置されている。
尚、図中、符号３３０は、各窓の二枚の窓戸を施錠するための窓錠である。
その他の構成は上記実施の形態と同様である。
【００４０】
次に、以上のような構成からなる遊技機Ｓ２の作用について説明する。
図７に示すように、遊技機Ｓ２の後ろ側の点検をするときには、上記と同様にして、遊技機Ｓ２の扉体２を開き、開口１０を介し、遊技機Ｓ２の後ろ側を視認する。あるいは、ドラムユニットやメダル払出装置などを取り外してから遊技機の後ろ側を視認する。
この場合にも、上記第一実施形態の遊技機Ｓ１と同様に、筐体１の壁部に設けた透視部３ａ，３ｂによって視線ｅ１，ｅ２が遮られないので、遊技機Ｓ２の後ろ側の点検作業を容易に行うことができる。
【００４１】
次に、この遊技機Ｓ２において、筐体１の後ろ側に異常があり、これらを解消する保守作業を行う場合には、図６に示すように、窓錠３３０の施錠を解除し、窓戸３３をスライド移動させる。
この際、窓３２が開くので、ここから手や工具などを外側に出すことができる。そのため、遊技機Ｓ２を移動させることなく、遊技機Ｓ２の後ろ側の装置や、向かい合う遊技機Ｓ２に対して、直接触れることができる。
これにより、点検作業だけでなく、遊技機Ｓ２及びその後ろ側の装置Ｓ２の保守作業も容易に行うことができる。
また、窓３２から手鏡を出すなどすれば、対面する遊技機の後面壁１１の表面だけでなく、この遊技機Ｓ２自身の後面壁１１の表面を見ることもできる。また、この場合、後面壁１１の制御部４の取り付け位置部分を透明樹脂で形成すると、後面壁１１の表面だけでなく、筐体１内部の制御部４も視認することができる。これにより、より一層、遊技機Ｓ２の不正利用の防止に寄与することができる。
【００４２】
そして、保守作業したあとに、窓戸３３を閉めて窓錠３３０で施錠し、扉体２を閉める。
この際、窓３２は、窓戸３３で閉じられているので、比較的大きな異物が筐体１内に入り込む事態を防止することができる。これにより、異物の影響を受けて、遊技機Ｓ２に異常を生じにくくすることができる。
【００４３】
以上説明したように、本実施形態の遊技機Ｓ２によれば、窓戸３３により窓３２を開閉できるので、窓３２を開にしたときに、遊技機Ｓ２の外部に窓３２から手や工具を出すことができ、点検作業だけでなく、保守作業を容易に行うことができる。また、通常は、窓３２が窓戸３３で閉じられるので、比較的大きな異物が入り難くなり、遊技機Ｓ２に異常を生じにくくさせることができる。
【００４４】
［第三実施形態］
次に、本発明に係る遊技機の第二実施形態について説明する。
図８に示すように、本実施形態の遊技機Ｓ３は、上記第二実施形態の遊技機Ｓ２とは、透視部３ａの窓３２に窓戸がない点が異なる。
また、本実施形態のフレーム板３２１ａには、挿通孔がない。なお、情報伝達ケーブルは、窓３２に挿通される。
このタイプの遊技機Ｓ３は、窓３２を介して、筐体１内部への不正な装置の取り付けなどができないように、島の構造自体に不正への対策が確立されている場合に好適である。
その他の構成は上記第二実施形態の遊技機Ｓ２と同様である。
このような構成からなる遊技機Ｓ３によれば、上記第一及び第二実施形態の遊技機と同様に、開口及び透視部３ａ，３ｂを介し、遊技機Ｓ３の後ろ側を容易に視認できる。また、後面壁１１に単に窓３２を設けただけなので、構造を簡単にでき、生産コストを低減させることができる。
【００４５】
以上、本発明の遊技機について、好ましい実施形態を示して説明したが、本発明に係る遊技機は、上述した実施形態にのみ限定されるものではなく、本発明の範囲で種々の変更実施が可能であることは言うまでもない。
例えば、透視可能材料として、複数の孔を有した金属製の板材としたがこれに限定されるものでなく、エキスパンドメタルや透明な樹脂板などであってもよく、透視可能な材料であればどのようなものでもよい。
【図面の簡単な説明】
【００４６】
【図１】本発明の第一実施形態に係る遊技機の背面側からの斜視図である。
【図２】本発明の第一実施形態に係る遊技機の作用を示す断面図である。
【図３】本発明の第一実施形態に係る遊技機の設置例を示す平面図である。
【図４】本発明の第一実施形態に係る遊技機の設置例を示す側面図である。
【図５】本発明の第二実施形態に係る遊技機の背面側からの斜視図である。
【図６】本発明の第二実施形態に係る遊技機を一部切り欠いた状態で示す背面側からの斜視図である。
【図７】本発明の第二実施形態に係る遊技機の作用を示す断面図である。
【図８】本発明の第三実施形態に係る遊技機の背面側からの斜視図である。
【図９】遊技機の正面図である。
【図１０】遊技機を、開口を開にした状態で示す正面側からの斜視図である。
【図１１】従来の遊技機の背面図である。
【図１２】従来の遊技機の平面図である。
【符号の説明】
【００４７】
Ｓ  遊技機
１  筐体
２  扉体
３，３ａ，３ｂ  透視部
４  制御部
５  ドラムユニット
６  メダル払出装置
１０  開口
１１  後面壁
１２，１３  側面壁
１４  底面壁
１５  上面壁
１８  懸架フレーム
２２  表示窓
３１  板材（透視可能材料）
３２  窓
３３  窓戸
３４  ガイドレール
３５  メダル補給口
３６  挿通孔
５１ａ〜５１ｃ  リール
１２０，１３０，１８０，３１２  段部
３１０  細孔
３１１  上側開放口
３２０  開放口
３２１  フレーム板
３３０  窓錠
【図１】
2008154693.tif 000003
【図２】
2008154693.tif 000004
【図３】
2008154693.tif 000005
【図４】
2008154693.tif 000006
【図５】
2008154693.tif 000007
【図６】
2008154693.tif 000008
【図７】
2008154693.tif 000009
【図８】
2008154693.tif 000010
【図９】
2008154693.tif 000011
【図１０】
2008154693.tif 000012
【図１１】
2008154693.tif 000013
【図１２】
2008154693.tif 000014